(57)【要約】      （修正有）【課題】１種類の長さの支持脚を使って、上段のものとの間隔を変更できる使い勝手のよいスタッキング用トレイを提供する。【解決手段】複数段に積重上に組み付ける際に、前記左右両側壁１１ｂ，１１ｃの前端部の２個所および後端部の２個所にそれぞれに保持される４つの支持脚２１・・・を、トレイ本体１１の一部で構成するとともに、トレイ本体１１から切り離し可能に形成し、前端部の２個所に前後方向へ並設される複数個の支持脚保持孔部１Ａ，１Ｂ，２Ａ，２Ｂ，３Ａ，３Ｂの各深さを異ならせ、前端部の２個所に前後方向へ並設される複数個の支持脚保持孔部４Ａ，４Ｂ，５Ａ，５Ｂ，６Ａ，６Ｂの各深さを異ならせる。【選択図】図１
0003112591.tif 000002
【実用新案登録請求の範囲】
【請求項１】
方形状の底壁、左右両側壁および後側壁から構成されたトレイ本体と、
前記左側壁における前後両端部の２個所ならびに右側壁における前後両端部の２個所にそれぞれ位置して、左右両側壁の各上部に形成された上向きの支持脚保持孔部と、
これら上向きの支持脚保持孔部に対応して、左右両側壁の各下部に形成された下向きの支持脚保持孔部と、
複数のトレイ本体を複数段に積重状に組み付ける際に、前記前後両端部の４個所における上部の支持脚保持孔部にそれぞれ挿入されて当該トレイ本体上に立設される状態に保持される４つの支持脚とを備え、
前記支持脚は、前記トレイ本体の一部で構成されるとともに、該トレイ本体から切り離し可能に形成され、
前記各個所の支持脚保持孔部は、複数個が前後方向で並設されるとともに、その複数個の支持脚保持孔部の各深さが互いに異なるように設定されていることを特徴とするスタッキング用トレイ。
【請求項２】
前記支持脚は、トレイ本体底壁の一部に形成されている請求項１に記載のスタッキング用トレイ。
【請求項３】
前記前端部の支持脚保持孔部は、後方に位置するもの程、その深さが大きく設定される一方、前記後端部の支持脚保持孔部は、後方に位置するもの程、その深さが小さく設定されている請求項１または２に記載のスタッキング用トレイ。
【請求項４】
前記底壁の前端に垂下状の前面部が連成されている請求項１、２、または３に記載のスタッキング用トレイ。
【請求項５】
方形状の底壁、左右両側壁および後側壁から構成されたトレイ本体と、
前記左側壁における前後両端部の２個所ならびに右側壁における前後両端部の２個所にそれぞれ位置して、左右両側壁の各上部に形成された上向きの支持脚保持孔部と、
これら上向きの支持脚保持孔部に対応して、左右両側壁の各下部に形成された下向きの支持脚保持孔部と、
複数のトレイ本体を複数段に積重状に組み付ける際に、前記前後両端部の４個所における上部の支持脚保持孔部にそれぞれ挿入されて当該トレイ本体上に立設される状態に保持される４つの支持脚とを備え、
前記支持脚は、前記トレイ本体底壁の一部で構成されるとともに、該トレイ本体底壁から切り離し可能に形成され、
前記各個所の支持脚保持孔部は、複数個が前後方向で並設されるとともに、前記前端部の支持脚保持孔部が、後方に位置するもの程、その深さが大きく設定される一方、前記後端部の支持脚保持孔部が、後方に位置するもの程、その深さが小さく設定され、
前記底壁の前端に垂下状の前面部が連成されていることを特徴とするスタッキング用トレイ。
【考案の詳細な説明】
【技術分野】
【０００１】
この考案は、事務書類や日用品などを分別収容する場合などに使用されるスタッキング用トレイに関する。
【背景技術】
【０００２】
従来より、この種のトレイとして、複数段に積重状に組み立てる際に使用する４個の支持脚を、トレー本体における底壁の一部で構成するとともに、該底壁から切り離し可能に形成したものが知られている（例えば、特許文献１参照）。
【０００３】
このスタッキング用トレイは、図１１に示すように、トレイ本体１０１の左右両側壁１０１ａ，１０１ｂの各前端部に上向きおよび下向きの一対の支持脚保持孔部１０２Ａ，１０２Ｂをそれぞれ形成し、さらに、左右両側壁１０１ａ，１０１ｂの各後端部にも同様の上向きおよび下向きの一対の支持脚保持孔部１０３Ａ，１０３Ｂを形成して、前記トレイ本体１０１の底壁１０１ｃの一部が、前記支持脚保持孔部１０２Ａ，１０３Ａに挿入して保持される４個の支持脚１０４・・・として構成されるとともに、該底壁１０１ｃから切り離し可能に形成されている。
【０００４】
このトレイは、図１２に示すように、複数段に積重状に組み立てる際に、上記４個の支持脚１０４・・・をトレイ本体１０１の底壁１０１ｃからから切り離すとともに、前記下段側のトレイにおける上部の４個所の支持脚保持孔部１０２Ａ、１０３Ａに挿入した後、これら４つの支持脚１０４の各上端部に、上段のトレイにおける下側の４個所の支持脚保持孔部１０２Ｂ，１０３Ｂを挿入させることにより、下段のものに対して上段のものが支持脚１０４を介して組み付けられる。
【特許文献１】意匠登録１１８００１８号公報（第１頁）
【考案の開示】
【考案が解決しようとする課題】
【０００５】
しかしながら、前記した従来のものは、４個の支持脚１０４が同じ長さであるから、上段のものとの間隔（高さ）を変更したい場合でも、これに対応することができず、不便な面があった。
【０００６】
ところで、前記支持脚として、長さの異なる複数種の支持脚を前記トレイ本体の底壁などに切り離し可能に設けておけば、上段のトレイとの間隔を変更可能となるが、その場合、例えば今まで使用していた長い支持脚に変えて、前記底壁から短い支持脚を切り離して使用する際に、今までの長い支持脚を無くさないよいうに保管するのが面倒になる。
【０００７】
この考案は、上記した実情に鑑みてなされたものであり、１種類の長さの支持脚のみにより、上段のものとの間隔を変更できる使い勝手のよいスタッキング用トレイを提供することを課題としている。
【課題を解決するための手段】
【０００８】
上記課題を解決するために、請求項１の考案は、方形状の底壁、左右両側壁および後側壁から構成されたトレイ本体と、前記左側壁における前後両端部の２個所ならびに右側壁における前後両端部の２個所にそれぞれ位置して、左右両側壁の各上部に形成された上向きの支持脚保持孔部と、これら上向きの支持脚保持孔部に対応して、左右両側壁の各下部に形成された下向きの支持脚保持孔部と、複数のトレイ本体を複数段に積重上に組み付ける際に、前記前後両端部の４個所における上部の支持脚保持孔部にそれぞれ挿入されて当該トレイ本体上に立設される状態に保持される４つの支持脚とを備え、前記支持脚は、前記トレイ本体の一部で構成されるとともに、該トレイ本体から切り離し可能に形成され、前記各個所の支持脚保持孔部は複数個が前後方向で並設されるともに、その複数個の支持脚保持孔部の各深さが互いに異なるように設定されていることを特徴とするスタッキング用トレイに係わるものである。
【０００９】
また、請求項２の考案は、前記支持脚が形成されているのが前記トレイ本体の底壁の一部であるスタッキング用トレイに係わるものである。
【００１０】
さらに、請求項３の考案は、前記前端部の支持脚保持孔部は、後方に位置するもの程、その深さが大きく設定される一方、前記後端部の支持脚保持孔部は、後方に位置するもの程、その深さが小さく設定されているスタッキング用トレイに係わるものである。
【００１１】
さらにまた、請求項４の考案は、前記底壁の前端に垂下状の前面部が連成されているスタッキング用トレイに係わるものである。
【００１２】
請求項５の考案は、上記請求項１ないし請求項４の構成の全てを満たすスタッキング用トレイに係わるものである。
【考案の効果】
【００１３】
請求項１の考案のスタッキング用トレイによれば、トレイ本体から切り離した支持脚を利用して簡単に複数に組み付けることができることは元より、左右両側壁における前端部の２個所ならびに後端部の２個所のそれぞれに、深さの異なる複数の支持脚保持孔部を設けたので、前後両端部の支持脚保持孔部を選択するすることにより、複数段に組み付ける際の上段のものとの間隔を同じ支持脚を使用して変更することができ、従来のように、支持脚の保管に困るといった問題もなくなる。
【００１４】
また、請求項２の考案のスタッキング用トレイによれば、支持脚をトレイ本体の底壁の一部で構成したから、比較的広い面積の底壁に支持脚を容易に形成することができる。
【００１５】
さらに、請求項３の考案のスタッキング用トレイによれば、前端部の最も前寄りの支持脚保持孔部と後端部の最も後寄りの支持脚保持孔部とを選択すれば、各支持脚保持孔部の深さが小さいにも係わらず、トレイ本体上の偏り荷重に対して安定支持が可能となり、また、前端部の最も後寄りの支持脚保持孔部と後端部の最も前寄りの支持脚保持孔部とを選択すれば、トレイ本体上の偏り荷重に対しての支持が不安定になろうしても、各支持脚保持孔部の深さが大きいので、その不安定支持のおそれはなくなる。
【００１６】
さらにまた、請求項４の考案のスタッキング用トレイによれば、前記底壁の前端に垂下状の前面部が連成されているので、この前面をインデックス表示用などに有効利用することが可能となる。
【００１７】
請求項５の考案のスタッキング用トレイによれば、上記請求項１ないし請求項４のスタッキング用トレイが奏する全ての効果を奏する。
【考案を実施するための最良の形態】
【００１８】
以下、この考案の実施形態を図面に基づいて説明する。
【００１９】
図１は、この考案の実施形態にかかるスタッキング用トレイを示す斜視図、図２は、同トレイの底面図である。
【００２０】
図１および図２において、このスタッキング用トレイＡは、トレイ本体１１と、支持脚２１とを備えている。なお、この実施形態のスタッキング用トレイＡは、Ａ４サイズの書類を収容できる程度の大きさで、前後方向へ長い形状であるが、左右方向へ長い幅大タイプのものなど、任意のタイプに適用可能である。
【００２１】
前記トレイ本体１１は、方形状の底壁１１ａと、左右両側壁１１ｂ，１１ｃおよび後側壁１１ｄが合成樹脂により一体形成されたものであり、前記底壁１１ａの外面には、略全域に補強用のリブ１２が、例えば格子状に形成されている。      さらに、この底壁１１ａの前端側は、前端に近づくにつれて上り勾配の斜面で１１１ａで構成されており、その斜面１１１ａの前端には、垂下状の前面部１１１ｂが形成されており、インデックスの表示面として利用できるようになっている。                                                
【００２２】
前記底壁１１ａの前端側は、平坦のままでもよいが、この例のよう斜面１１１ａで構成してあると、収容量が多くなった場合でも、上層の書類が前ずれしたり
するのが抑制される。
【００２３】
また、前記トレイ本体１１における左右両側壁１１ｂ，１１ｃおよび後側壁１１ｄなどは、全体の軽量化や使用樹脂量の節約のために薄肉に形成されるとともに、左右両側壁１１ｂ，１１ｃには、多数の孔１３が形成されている。
【００２４】
なお、前記左右両側壁１１ｂ，１１ｃの上下両端には、補強用のつば条部１４Ａ，１４Ｂが一体形成されており（図４参照）、また、後側壁１１ｄの上端などにも、補強用のつば条部１４Ｃが一体形成されており、これらつば条部１４Ａ，１４Ｂ，１４Ｃにより、前記薄肉化などに対応した強度を確保することができる。
【００２５】
前記支持脚２１は、図５に示すように方形板状に形成されている。これら支持脚２１は、この実施形態では、トレイ本体１１における底壁１１ａの一部で構成されるとともに、図３に示すように、該底壁１１ａに対して切り離し片２１０を介して切り離し可能に連成されている。この実施形態では、底壁１１ａに６個の支持脚２１が設けられているが、２個の支持脚２１は予備として設けられているもので、４個が設けられていれば十分である。勿論、支持脚２１は、左右両側壁１１ｂ，１１ｃの一部、あるいは、後側壁１１ｄの一部で構成することも可能であるが、底壁１１ａに設けられているのは、底壁１１ａが比較的面積が大きく、材料取りが行いやすいからである。
【００２６】
前記トレイ本体１１における左右の側壁１１ｂ，１１ｃの各前端側上部には、図４に示すように、前記支持脚２１を保持する複数、例えば３つの上向きで有底の支持脚保持孔部１Ａ，２Ａ，３Ａがそれぞれ上端つば条部１４Ａに開口して形成されており、また、左右の側壁１１ｂ，１１ｃの各前端側下部にも、前記３つの支持脚保持孔１Ａ，２Ａ，３Ａに対応して、下向きで有底の支持脚保持孔部１Ｂ，２Ｂ，３Ｂが下端つば条部１４Ｂに開口して形成されている。
【００２７】
前記上部の３つの支持脚保持孔部１Ａ，２Ａ，３Ａは、各深さが互いに異なっており、下部の３つの支持脚保持孔部１Ｂ，２Ｂ，３Ｂも、各深さが互いに異なっている。
【００２８】
支持脚保持孔部１Ａ，１Ｂの深さをｄ１、支持脚保持孔部２Ａ，２Ｂの深さをｄ２、支持脚保持孔部３Ａ，３Ｂの深さをｄ３とした場合、例えば後方に位置するもの程、その深さが大きくなるように設定されている（ｄ１＜ｄ２＜ｄ３）。
【００２９】
また、左右の側壁１１ｂ，１１ｃの各後端側上部にも、図４に示すように、前記支持脚２１を保持する複数、例えば３つの上向きで有底の支持脚保持孔部４Ａ，５Ａ，６Ａがそれぞれ上端つば条部１４Ａに開口して形成されており、また、左右の側壁１１ｂ，１１ｃの各前端側下部にも、前記３つの支持脚保持孔４Ａ，５Ａ，６Ａに対応して、下向きで有底の支持脚保持孔部４Ｂ，５Ｂ，６Ｂが下側つば条部１４Ｂに開口して形成されている。
【００３０】
前記上部の３つの支持脚保持孔部４Ａ，５Ａ，６Ａは、各深さが互いに異なっており、下部の３つの支持脚保持孔部４Ｂ，５Ｂ，６Ｂも、各深さが互いに異なっている。
【００３１】
支持脚保持孔部４Ａ，４Ｂの深さをｄ４、支持脚保持孔部５Ａ，５Ｂの深さをｄ５、支持脚保持孔部６Ａ，６Ｂの深さをｄ６とした場合、例えば後方に位置するもの程、その深さが大きくなるように設定されている（ｄ４＜ｄ５＜ｄ６）。
【００３２】
なお、支持脚保持孔部１Ａ，１Ｂの深さｄ１と支持脚保持孔部６Ａ，６Ｂの深さｄ６は同じであり（ｄ１＝ｄ６）、また、支持脚保持孔部２Ａ，２Ｂの深さｄ２と支持脚保持孔部５Ａ，５Ｂの深さｄ５は同じであり（ｄ２＝ｄ５）、さらに、支持脚保持孔部３Ａ，３Ｂの深さｄ３と支持脚保持孔部４Ａ，４Ｂの深さｄ４は同じ（ｄ３＝ｄ４）に設定されている。
【００３３】
つぎに、上記構成のスタッキング用トレイＡを、例えば２段に積重状に組み付ける手順を説明する。
【００３４】
まず、積重したい間隔に従って側壁１１ｂ，１１ｃにおける各前端部の３つの上向きの支持脚保持孔部１Ａ，２Ａ，３Ａのうちからその一つ、例えば深さが最も小さい（ｄ１）支持脚保持孔部１Ａを選択し、さらに左右両側壁１１ｂ、１１ｃにおける各後端部の３つの上向きの支持脚保持孔部４Ａ，５Ａ，６Ａのうちから前記支持脚保持孔部１Ａと同じ深さ（ｄ６）の支持脚保持孔部６Ａを選択する。
【００３５】
そして、トレイ本体１１の底壁１１ａから各切り離し片２１０を切断することにより４つの支持脚２１・・・を切り離した後、これら支持脚２１・・・を、図６に示すように、前端側２箇所の支持脚保持孔部１Ａ，１Ａおよび後端側２箇所の支持脚保持孔部６Ａ、６Ａに差し込めば、トレイ本体１１の左右両側壁１１ｂ、１１ｃにおける各前後両端部の４個所にそれぞれ支持脚２１が立設される。
【００３６】
この状態で、用意してある２段目となるトレイＡにおいて、前記支持脚保持孔部１Ａ，６Ａと同じ深さ（ｄ１＝ｄ６）の下向きの支持脚保持孔部１Ｂ，６Ｂを選択する。つまり、２段目となるトレイＡにおける前端部の下向きの支持脚保持孔部１Ｂ，１Ｂおよび後端部の下向きの支持脚保持孔部６Ｂ，６Ｂを下段側に立設した支持脚２１・・・の上端部に挿入させる。
【００３７】
これにより、図７および図８に示すように、上段のものとの間隔がＴであるトレイＡの２段積み重ね状態を得ることができ、各段のトレイＡに毎に書類などを種別毎に別けて収容させることができる。
【００３８】
そして、前記各トレイＡにおける底壁１１ａの前端に垂下状の前面部１１１ｂに、インデックスラベルなどを貼り付けて使用することができる。
【００３９】
なお、この積み重ね段数は、トレイＡをさらに用意して上記と同様の手順によりさらに増やすことが可能である。
【００４０】
ところで、上記の積み重ね状態では、深さが最も小さい（浅い）支持脚保持孔部１Ｂ，１Ｂおよび６Ｂ，６Ｂに前記支持脚２１・・・を挿入して保持させたので、上段のものとの間の間隔Ｔが最も大きくなっているが、この間隔Ｔは任意に変更することができる。例えば間隔Ｔを最も小さくして積み重ねたい場合には、上記４つの支持脚２１・・・を前記した前端側の２個所の支持脚保持孔部１Ａ，１Ａおよび後端側２箇所の支持脚保持孔部６Ａ，６Ａから引き抜き、今度は、その支持脚２１・・・を、深さが最も大きい支持脚保持孔部３Ａ，３Ａおよび４Ａ，４Ａにそれぞれ挿入して保持させれば、図９に示すように、最も小さい間隔Ｔで積み重ねることができる。
【００４１】
つまり、トレイ本体１１の左右両側壁１１ｂ，１１ｃの前端側２個所および後端側の２個所のそれぞれに、深さの異なる支持脚保持孔部１Ａ（１Ｂ），２Ａ（２Ｂ），３Ａ（３Ｂ）および４Ａ（４Ｂ），５Ａ（５Ｂ），６Ａ（６Ｂ）を設けた構成であるから、前記支持脚保持孔１Ａ（１Ｂ），２Ａ（２Ｂ），３Ａ（３Ｂ）の一つと、後端側の支持脚保持孔部４Ａ（４Ｂ），５Ａ（５Ｂ），６Ａ（６Ｂ）の一つを選択することにより、長さが一種類の支持脚２１のみを使用して、前述したような上段のものとの間隔Ｔを簡単に変更することができるうえ、変更前まで使っていた支持脚の保管に困るといった問題もなくなる。
【００４２】
ところで、前記前端側の２個所の支持脚保持孔部１Ａ（１Ｂ），２Ａ（２Ｂ），３Ａ（３Ｂ）の深さの順ならびに後端側の支持脚保持孔部４Ａ（４Ｂ），５Ａ（５Ｂ），６Ａ（６Ｂ）の深さの順は、任意に変更可能であるが、この例のように、前端側の支持脚保持孔部１Ａ（１Ｂ），２Ａ（２Ｂ），３Ａ（３Ｂ）については、後方に位置するもの程、その深さを大きく設定し、後端部の支持脚保持孔部４Ａ（４Ｂ），５Ａ（５Ｂ），６Ａ（６Ｂ）については、後方に位置するもの程、その深さを小さく設定してあると、以下の利点がある。
【００４３】
前記支持脚２１を前端側の支持脚２１は可及的に前寄りに位置に、後端側の支持脚は可及的後寄りに位置に設定すれば、トレイ本体１１における平面上での偏り荷重に対して安定的に支持することができる。
【００４４】
つまり、図７および図８に示した積み重ね間隔Ｔを大きくした例の場合、支持脚２１が挿入されている前端側の最も浅い支持脚保持孔部１Ａは最も前寄りの位置であり、支持脚２１が挿入されている最も浅い後端側の支持脚保持孔部６Ａが最も後寄りの位置であるので、これら支持脚保持孔部１Ａ，６Ａへの支持脚２１の挿入量が小さいにも係わらず、上段のトレイ本体１１の平面内での偏り荷重が大きくなっても安定支持状態を確保することができる。
【００４５】
また、図９に示した積み重ね間隔Ｔを小さくした例の場合、前側の支持脚２１が挿入されている前端側の最も深い支持脚保持孔部３Ａは最も後寄りの位置であり、後側の支持脚２１が挿入されている最も深い後端側の支持脚保持孔部４Ａが最も前寄りの位置であるので、上段のトレイ本体１１の平面内での偏り荷重が大きくなったとしても、これら支持脚保持孔部３Ａ，４Ａへの支持脚２１の挿入量が大きいために、その影響を最小限に止めて安定支持状態を確保できることになる。
【００４６】
なお、上記各例では、下段のスタッキング用トレイＡに対して上段のスタッキング用トレイＡを前後方向で同じ位置に積重させた例を説明したが、図１０に示すように、上段のものが後方へずれるように、支持脚２１が挿入される前側の支持脚保持孔部１Ａ，２Ａ，３Ａと後端側の支持脚保持孔部４Ａ，５Ａ，６Ａをそれぞれ選択して支持脚２１・・・を挿入してもよい。その場合、上段のスタッキング用トレイＡが後方へずれているので、下段のスタッキング用トレイＡに対して書類を挿入しやすくなる。
【図面の簡単な説明】
【００４７】
【図１】この考案の実施形態にかかるスタッキング用トレイを示す斜視図である。
【図２】同じくトレイを示す底面図である。
【図３】図１のＸ−Ｘ線に沿った断面およびその一部の拡大した断面図である。
【図４】左右の側壁に形成された支持脚保持孔部を示す斜視図である。
【図５】支持脚を示す斜視図である。
【図６】２段に積重させる前の状態を示す斜視図である。
【図７】２段に積重させた状態を示す斜視図である。
【図８】上段との間隔を最も大きくして２段に積重させた場合の説明図である。
【図９】上段との間隔を最も小さくして２段に積重させた場合の説明図である。
【図１０】上段側を後方へずらして２段に積重させた場合の説明図である。
【図１１】従来のスタッキング用トレイを示す斜視図である。
【図１２】従来のスタッキング用トレイを積重状に組み付けた状態を示す斜視図である。
【符号の説明】
【００４８】
１Ａ，１Ｂ，２Ａ，２Ｂ，３Ａ，３Ｂ，４Ａ，４Ｂ，５Ａ，５Ｂ，６Ａ，６Ｂ・・・・・・・・・支持脚保持孔部
１１・・・・・・トレイ本体
１１ａ・・・・・底壁
１１ｂ・・・・・左側壁
１１ｃ・・・・・右側壁
１１ｄ・・・・・後側壁
２１・・・・・・支持脚
１１１ｂ・・・・前面部
ｄ１〜ｄ６・・・支持脚保持孔部の深さ
【図２】
0003112591.tif 000003
【図３】
0003112591.tif 000004
【図４】
0003112591.tif 000005
【図５】
0003112591.tif 000006
【図８】
0003112591.tif 000007
【図９】
0003112591.tif 000008
【図１０】
0003112591.tif 000009
【図１】
0003112591.tif 000010
【図６】
0003112591.tif 000011
【図７】
0003112591.tif 000012
【図１１】
0003112591.tif 000013
【図１２】
0003112591.tif 000014